(57)【要約】      （修正有）【課題】市場で流通する紙葉類から識別用データを更新するためのデータを取得する。【解決手段】紙幣等の紙葉類を識別する紙葉類処理装置１０を、紙葉類を識別する識別部５０と、データ収集処理の実行を指示するための操作部２０と、操作部による指示操作を受けて実行するデータ収集処理では識別部によって正しい識別結果を得られない紙葉類からデータを収集する制御部７０と、制御部が収集したデータを保存するための記憶部８０とによって構成する。【選択図】図１
2017058962.tif 000002
【特許請求の範囲】
【請求項１】
紙葉類を識別する紙葉類処理装置であって、
紙葉類を識別する識別部と、
データ収集処理の実行を指示するための操作部と、
前記操作部による指示操作を受けて実行する前記データ収集処理では、前記識別部によって正しい識別結果を得られない紙葉類から、前記識別部によってデータを収集する制御部と、
前記制御部が収集したデータを保存するための記憶部と
を備えることを特徴とする紙葉類処理装置。
【請求項２】
前記操作部では、リジェクトモードで前記データ収集処理を実行するよう指示可能であり、
前記制御部は、前記リジェクトモードでは、リジェクトされる紙葉類から収集したデータを前記記憶部に保存する
ことを特徴とする請求項１に記載の紙葉類処理装置。
【請求項３】
前記操作部では、アクセプトモードで前記データ収集処理を実行するよう指示可能であり、
前記制御部は、前記アクセプトモードでは、リジェクトされない紙葉類から収集したデータを前記記憶部に保存する
ことを特徴とする請求項１又は２に記載の紙葉類処理装置。
【請求項４】
前記制御部は、
前記データ収集処理を開始して最初に前記識別部でデータを収集した紙葉類がリジェクトされる紙葉類である場合には、リジェクトされる紙葉類から収集したデータを前記記憶部に保存して、
最初にデータを収集した紙葉類がリジェクトされない紙葉類である場合には、リジェクトされない紙葉類から収集したデータを前記記憶部に保存する
ことを特徴とする請求項１に記載の紙葉類処理装置。
【請求項５】
前記制御部は、
前記データ収集処理を開始して最初に前記識別部でデータを収集した紙葉類を含む所定枚数の紙葉類のみからデータを収集して前記記憶部に保存する
ことを特徴とする請求項１に記載の紙葉類処理装置。
【請求項６】
紙葉類に関する情報を表示する表示部
をさらに備え、
前記制御部は、前記データ収集処理を開始して、前記識別部でデータを収集した各紙葉類に関する情報を前記表示部に表示して、前記表示部に表示された紙葉類のうち前記操作部を操作して選択された紙葉類から収集したデータを前記記憶部に保存する
ことを特徴とする請求項１に記載の紙葉類処理装置。
【請求項７】
前記制御部は、認証処理を実行して、認証された場合にのみ、前記記憶部に保存した前記データの移動及び／又はコピーを許可することを特徴とする請求項１〜６のいずれか１項に記載の紙葉類処理装置。
【請求項８】
前記制御部は、前記データを暗号化して前記記憶部に保存することを特徴とする請求項１〜７のいずれか１項に記載の紙葉類処理装置。
【請求項９】
前記制御部は、前記記憶部に保存された前記データを移動又はコピーする操作を監視して前記操作に関する情報を記録することを特徴とする請求項１〜８のいずれか１項に記載の紙葉類処理装置。
【請求項１０】
前記制御部は、前記紙葉類処理装置の製造者によって前記記憶部に保存した前記データが回収されると、前記記憶部から前記データを削除することを特徴とする請求項１〜９のいずれか１項に記載の紙葉類処理装置。
【請求項１１】
紙葉類を識別する紙葉類処理装置であって、
複数種類の紙葉類のそれぞれを識別するための識別用データが保存されている記憶部と、
前記識別用データに基づいて紙葉類を識別する識別部と、
データ収集処理の実行を指示するための操作部と、
前記操作部による指示操作を受けて実行する前記データ収集処理では、前記識別部によって正しい識別結果を得られない紙葉類からデータを収集して、該データに基づいて前記識別用データを更新することにより前記識別部によって各紙葉類を正しく識別できるようになるか否かを検証し、各紙葉類を正しく識別できると判定した場合には、前記データに基づいて前記識別用データを更新する制御部と
を備えることを特徴とする紙葉類処理装置。
【請求項１２】
前記制御部は、正しい識別結果を得られない紙葉類から収集したデータに基づいて前記識別用データを更新しても前記識別部によって各紙葉類を正しく識別できないと判定した場合には、前記識別用データを更新せずに、前記紙葉類から収集したデータを保存することを特徴とする請求項１１に記載の紙葉類処理装置。
【請求項１３】
前記制御部は、前記データ収集処理の実行時に、前記識別部によって正しい識別結果を得られない紙葉類から寸法データを取得して、該寸法データに基づいて前記識別用データを更新することを特徴とする請求項１１又は１２に記載の紙葉類処理装置。
【請求項１４】
前記制御部は、前記データ収集処理の実行時に、前記識別部によって正しい識別結果を得られない紙葉類から文字データを取得して、該文字データに基づいて前記識別用データを更新することを特徴とする請求項１１〜１３のいずれか１項に記載の紙葉類処理装置。
【請求項１５】
店舗で紙葉類を識別する紙葉類処理装置で実行する紙葉類処理方法であって、
前記店舗の従業者による操作を受け付けて処理モードをデータ収集処理モードに切り替える工程と、
前記紙葉類処理装置によって正しい識別結果を得られなかった紙葉類からデータを収集する工程と、
前記紙葉類から収集したデータの装置外への移動及びコピーを禁止して、前記紙葉類処理装置の製造者によって回収されるまでの間、前記データを装置内に保管する工程と
を含んだことを特徴とする紙葉類処理方法。
【発明の詳細な説明】
【技術分野】
【０００１】
この発明は紙葉類の種類等を識別する紙葉類処理装置及び紙葉類処理方法に関する。
【背景技術】
【０００２】
従来、紙幣、小切手、商品券等、様々な種類の紙葉類について、紙葉類の種類を識別する紙葉類処理装置が利用されている。紙葉類処理装置では、紙葉類の特徴に基づいて偽の紙葉類でないことを確認する真偽識別を行うこともできる。例えば、特許文献１には、紙幣の金種及び真偽を識別する紙幣処理装置が開示されている。
【０００３】
紙幣処理装置では、紙幣の外観等に基づいて金種を識別する金種識別が行われた後、この金種の紙幣が示す特徴を有するか否かに基づいて真偽を判定する真偽識別が行われる。紙幣には、偽造防止対策として、透かしや潜像等の様々なセキュリティ対策が施されている。真偽識別では、偽造防止用に施された様々な特徴を有するか否かを判定することにより、外観は真の紙幣に見える偽券を検出することができる。紙幣処理装置内には、各金種の紙幣の特徴を示す情報が識別用データとして予め準備されており、この識別用データを利用して紙幣の金種及び真偽を識別する。
【先行技術文献】
【特許文献】
【０００４】
【特許文献１】国際公開２０１４−０１３５８５号公報
【発明の概要】
【発明が解決しようとする課題】
【０００５】
しかしながら、上記従来技術によれば、紙葉類処理装置で正しい識別結果を得ることができない新たな紙葉類が見つかると、この新たな紙葉類に関するデータを収集するために、紙葉類処理装置の利用者に負担をかけてしまうという問題があった。
【０００６】
具体的には、既存の識別用データに基づく判定では識別結果を誤るような新たな紙葉類が登場した場合には、この新しい紙葉類を含む全ての紙葉類で正しい識別結果を得られるように識別用データを更新する必要がある。識別用データを更新するためには、新しい紙葉類を調査して様々なデータを収集する必要がある。このため、新たに登場した紙葉類を調査したい紙葉類処理装置の製造者は、利用者にこの紙葉類の保管を依頼する。
【０００７】
例えば、市場で新たな偽造紙幣が見つかった際に、利用者から製造者に、紙幣処理装置で偽造紙幣が真の紙幣と誤判定されてしまうとの連絡が入ると、製造者は、利用者に対して偽造紙幣の保管を依頼する。また、紙幣の印刷機や印刷方法が変更されたために、真の紙幣であることが明らかであるのに偽造紙幣と誤判定されてしまう場合がある。この場合も、利用者から誤判定の連絡を受けた製造者は、利用者に紙幣の保管を依頼する。
【０００８】
また、例えば、小切手や商品券等の紙葉類は、次々と新しい種類のものが発行され、既存のものについても紙幣に比べて頻繁にデザインが変更される。デザインが変更された紙葉類や新しく追加された紙葉類を正しく識別するためには、これらの紙葉類を入手して調査し、更新用の識別用データを作成する必要がある。このため、製造者は、利用者に、新たに発行された紙葉類やデザインが変更された紙葉類の入手を依頼する。
【０００９】
製造者から依頼を受けた利用者は製造者が回収に来るまで紙葉類を保管しなければならず、利用者の負担となっていた。このため、利用者に負担をかけることなく、紙葉類処理装置で正しく識別できない新たな紙葉類から、識別用データの更新に必要となる各種のデータを取得できる方法が望まれていた。
【００１０】
本発明は、上述した従来技術による問題点を解消するためになされたもので、市場で流通する紙葉類から、識別用データを更新するためのデータを容易に収集することができる紙葉類処理装置及び紙葉類処理方法を提供することを目的とする。
【課題を解決するための手段】
【００１１】
上述した課題を解決し、目的を達成するため、本発明は、紙葉類を識別する紙葉類処理装置であって、紙葉類を識別する識別部と、データ収集処理の実行を指示するための操作部と、前記操作部による指示操作を受けて実行する前記データ収集処理では、前記識別部によって正しい識別結果を得られない紙葉類から、前記識別部によってデータを収集する制御部と、前記制御部が収集したデータを保存するための記憶部とを備えることを特徴とする。
【００１２】
また、本発明は、上記発明において、前記操作部では、リジェクトモードで前記データ収集処理を実行するよう指示可能であり、前記制御部は、前記リジェクトモードでは、リジェクトされる紙葉類から収集したデータを前記記憶部に保存することを特徴とする。
【００１３】
また、本発明は、上記発明において、前記操作部では、アクセプトモードで前記データ収集処理を実行するよう指示可能であり、前記制御部は、前記アクセプトモードでは、リジェクトされない紙葉類から収集したデータを前記記憶部に保存することを特徴とする。
【００１４】
また、本発明は、上記発明において、前記制御部は、前記データ収集処理を開始して最初に前記識別部でデータを収集した紙葉類がリジェクトされる紙葉類である場合には、リジェクトされる紙葉類から収集したデータを前記記憶部に保存して、最初にデータを収集した紙葉類がリジェクトされない紙葉類である場合には、リジェクトされない紙葉類から収集したデータを前記記憶部に保存することを特徴とする。
【００１５】
また、本発明は、上記発明において、前記制御部は、前記データ収集処理を開始して最初に前記識別部でデータを収集した紙葉類を含む所定枚数の紙葉類のみからデータを収集して前記記憶部に保存することを特徴とする。
【００１６】
また、本発明は、上記発明において、紙葉類に関する情報を表示する表示部をさらに備え、前記制御部は、前記データ収集処理を開始して、前記識別部でデータを収集した各紙葉類に関する情報を前記表示部に表示して、前記表示部に表示された紙葉類のうち前記操作部を操作して選択された紙葉類から収集したデータを前記記憶部に保存することを特徴とする。
【００１７】
また、本発明は、上記発明において、前記制御部は、認証処理を実行して、認証された場合にのみ、前記記憶部に保存した前記データの移動及び／又はコピーを許可することを特徴とする。
【００１８】
また、本発明は、上記発明において、前記制御部は、前記データを暗号化して前記記憶部に保存することを特徴とする。
【００１９】
また、本発明は、上記発明において、前記制御部は、前記記憶部に保存された前記データを移動又はコピーする操作を監視して前記操作に関する情報を記録することを特徴とする。
【００２０】
また、本発明は、上記発明において、前記制御部は、前記紙葉類処理装置の製造者によって前記記憶部に保存した前記データが回収されると、前記記憶部から前記データを削除することを特徴とする。
【００２１】
また、本発明は、紙葉類を識別する紙葉類処理装置であって、複数種類の紙葉類のそれぞれを識別するための識別用データが保存されている記憶部と、前記識別用データに基づいて紙葉類を識別する識別部と、データ収集処理の実行を指示するための操作部と、前記操作部による指示操作を受けて実行する前記データ収集処理では、前記識別部によって正しい識別結果を得られない紙葉類からデータを収集して、該データに基づいて前記識別用データを更新することにより前記識別部によって各紙葉類を正しく識別できるようになるか否かを検証し、各紙葉類を正しく識別できると判定した場合には、前記データに基づいて前記識別用データを更新する制御部とを備えることを特徴とする。
【００２２】
また、本発明は、上記発明において、前記制御部は、正しい識別結果を得られない紙葉類から収集したデータに基づいて前記識別用データを更新しても前記識別部によって各紙葉類を正しく識別できないと判定した場合には、前記識別用データを更新せずに、前記紙葉類から収集したデータを保存することを特徴とする。
【００２３】
また、本発明は、上記発明において、前記制御部は、前記データ収集処理の実行時に、前記識別部によって正しい識別結果を得られない紙葉類から寸法データを取得して、該寸法データに基づいて前記識別用データを更新することを特徴とする。
【００２４】
また、本発明は、上記発明において、前記制御部は、前記データ収集処理の実行時に、前記識別部によって正しい識別結果を得られない紙葉類から文字データを取得して、該文字データに基づいて前記識別用データを更新することを特徴とする。
【００２５】
また、本発明は、店舗で紙葉類を識別する紙葉類処理装置で実行する紙葉類処理方法であって、前記店舗の従業者による操作を受け付けて処理モードをデータ収集処理モードに切り替える工程と、前記紙葉類処理装置によって正しい識別結果を得られなかった紙葉類からデータを収集する工程と、前記紙葉類から収集したデータの装置外への移動及びコピーを禁止して、前記紙葉類処理装置の製造者によって回収されるまでの間、前記データを装置内に保管する工程とを含んだことを特徴とする。
【発明の効果】
【００２６】
本発明によれば、紙葉類処理装置を利用して、通常は紙葉類を識別して計数したり種類別に分類したりしながら、正しい識別結果を得られない紙葉類が見つかった場合には、データ収集処理を実行し、この紙葉類からデータを収集して装置内に保存することができる。データ収集処理は、紙葉類処理装置の利用者自らが操作部を操作して実行できるので、利用者は、紙葉類処理装置の製造者が来るまで紙葉類を保管する必要がない。また、製造者は、紙葉類の現物がなくても、この紙葉類から収集して紙葉類処理装置内に保管されているデータを回収して、更新用の識別用データを作成することができる。
【００２７】
また、本発明によれば、紙葉類処理装置内で紙葉類の識別に利用している識別用データを、正しい識別結果を得られない紙葉類から収集したデータに基づいて更新することにより、全ての紙葉類を正しく識別できるようになる場合には、装置内で識別用データを更新することができる。これにより、紙葉類処理装置では、製造者による紙葉類の調査や識別用データの更新を待たずに、全ての紙葉類について正しい識別結果を得られるようになり、製造者は、紙葉類の調査や識別用データの更新を行う必要がない。
【図面の簡単な説明】
【００２８】
【図１】図１は、実施例１に係る紙幣処理装置の機能構成概略を示すブロック図である。
【図２】図２は、左側面から見た紙幣処理装置の内部構成概略を示す断面模式図である。
【図３】図３は、紙幣処理装置で行われる紙幣処理の種類を示す図である。
【図４】図４は、障害券データ及び障害券データ管理情報の例を示す図である。
【図５】図５は、実施例２に係る入金処理装置の機能構成概略を示すブロック図である。
【図６】図６は、右側面から見た入金処理装置の内部構成概略を示す断面模式図である。
【図７】図７は、商品券を処理対象とする障害券データ収集処理の流れを示すフローチャートである。
【発明を実施するための形態】
【００２９】
以下に、添付図面を参照して、本発明に係る紙葉類処理装置及び紙葉類処理方法について詳細に説明する。本発明に係る紙葉類処理装置は、銀行等の金融機関や小売店の店舗等で、様々な紙葉類を処理するために利用することができる。紙葉類処理装置が処理対象とする紙葉類の種類は特に限定されないが、以下では、紙幣を識別計数する紙幣処理装置と、紙幣及び商品券を識別計数して入金を受け付ける入金処理装置を例に説明する。なお、本実施形態では、銀行や小売店等の店舗で、店舗に設置された紙葉類処理装置を利用する店舗従業者等、紙葉類処理装置を普段利用している側の人間を「利用者」として、紙葉類処理装置を製造したメーカ、紙葉類処理装置の販売会社、紙葉類処理装置の保守点検業者等、利用者に対して紙葉類処理装置の正常動作を保証する側の人間を「製造者」として区別する。
【００３０】
［実施例１］
まず、紙幣を処理対象とする紙幣処理装置（紙葉類処理装置）の例について説明する。図１は、実施例１に係る紙幣処理装置１０の機能構成概略を示すブロック図である。また、図２は、左側面から見た紙幣処理装置１０の内部構成概略を示す断面模式図である。図１に示すように、紙幣処理装置１０は、操作表示部２０、受入部３０、搬送部４０、識別部５０、集積部６０、及び記憶部８０と、これら各部を制御する制御部７０とを有する。
【００３１】
図２に示すように、紙幣処理装置１０の前面側（図２右側）の上部に、識別計数する紙幣を載置する受入部３０が設けられ、その下方には、画面に表示された情報を確認しながら設定操作や紙幣処理に関する指示操作を行うための操作表示部２０が設けられている。また、装置前面下部には紙幣を集積するスタッカ６０ｂが設けられ、スタッカ６０ｂの上方には、リジェクト紙幣を集積するリジェクト部６０ａが設けられている。リジェクト部６０ａ及びスタッカ６０ｂは、装置前面側が開放されており、内部に集積された紙幣を取り出せるようになっている。
【００３２】
図１に示す集積部６０には、これらリジェクト部６０ａ及びスタッカ６０ｂが含まれる。また、搬送部４０には、搬送路と、搬送路途中の複数箇所に設けられた紙幣検知センサと、識別部５０からリジェクト部６０ａへ至る主搬送路から、スタッカ６０ｂへ至る分岐搬送路へ、紙幣の搬送先を切り替える分岐部材とが含まれる。また、スタッカ６０ｂ内には、分岐搬送路から排出された紙幣を１枚ずつ羽根の間に受けて、回転しながらスタッカ６０ｂ内に整列状態で紙幣を集積するための羽根車が設けられている。
【００３３】
識別部５０は、可視光画像を撮像するラインセンサ、厚みを計測する厚みセンサ、磁気特性を計測する磁気センサを有している。また、紙幣に紫外光や赤外光等、所定波長の光を照射することにより、ラインセンサで、紫外光画像や赤外光画像等、所定波長の光源による紙幣画像を撮像することも可能となっている。識別部５０では、搬送部４０で搬送される紙幣を各センサで走査することにより、紙幣全面から、画像、厚み、磁気等のデータを取得することができる。また、画像については、搬送部４０によって搬送される紙幣の表面側及び裏面側のそれぞれに光源及びラインセンサを設けることにより、表面全面の反射画像、裏面全面の反射画像及び全面の透過画像を取得することができる。ただし、識別部５０が有するセンサの種類、各センサによる計測領域がこれらに限定されるものではなく、使用するセンサ、センサの配置位置、データの取得方法等は、識別対象とする紙幣の種類、紙幣から取得したいデータの種類、紙幣処理装置１０の利用目的等に応じて適宜決定される。
【００３４】
識別部５０は、例えば、紙幣の可視光画像に基づいて紙幣の金種を識別して、可視光画像に表れる特徴、紙幣のサイズ、厚み、磁気特性、紫外光特性、赤外光特性等に基づいて紙幣の真偽を識別する。また、識別部５０は、紙幣の厚みや画像に表れる特徴から紙幣の正損を判定する機能も有する。なお、搬送路上の紙幣の位置は、搬送路に設けられた紙幣検知センサによって検知される。制御部７０が、搬送路上の紙幣の位置を検知して識別部５０を制御することにより、識別部５０は、紙幣が識別部５０を通過するタイミングに合わせて、紙幣上の所定領域から各種データを取得することができる。
【００３５】
制御部７０は、識別部５０で得られた識別結果に基づいて、リジェクト部６０ａ及びスタッカ６０ｂのいずれを紙幣の搬送先とするかを決定する。そして、制御部７０が、搬送部４０を制御して、搬送路上での紙幣の位置を検知しながら分岐部材による分岐動作を制御することにより、先に決定した搬送先へ紙幣を搬送して集積できるようになっている。
【００３６】
記憶部８０は、不揮発性の半導体メモリ等から成り、識別用データ８１、障害券データ８２及び障害券データ管理情報８３等を保存するために利用される。記憶部８０は、この他、制御部７０が利用するプログラムや設定情報等、各種データの保存にも利用される。
【００３７】
識別用データ８１には、識別部５０が、紙幣の金種、真偽、正損等を識別するために利用するデータが含まれている。障害券データ８２及び障害券データ管理情報８３は、識別部５０によって正しい識別結果を得られなかった紙幣（障害券）に関するデータであるが、詳細は後述する。なお、記憶部８０に保存されている識別用データ８１、障害券データ８２及び障害券データ管理情報８３は、製造者以外の人間がデータの内容を認識できないように、暗号化された状態で保存されている。
【００３８】
図１には示していないが、記憶部８０に保存されているデータは、コンピュータ装置等の外部装置を紙幣処理装置１０に接続して、記憶部８０から外部装置に移動したりコピーしたりすることができる。また、紙幣処理装置１０は、可搬型記憶媒体であるメモリカードを脱着可能なカードスロットを有し、このカードスロットに装着したメモリカードに、記憶部８０のデータを移動したりコピーしたりすることもできる。ただし、利用者は記憶部８０のデータを移動したりコピーしたりすることはできず、操作表示部２０で所定の認証処理を行って認証された製造者のみがデータの移動やコピーを行えるようになっている。
【００３９】
次に、紙幣処理装置１０で行われる紙幣処理について説明する。図３は、紙幣処理装置１０で行われる紙幣処理の種類を示す図である。紙幣処理装置１０では、従来行われている通常の紙幣処理に加えて、障害券データ収集処理（データ収集処理）を行うことができる。障害券データ収集処理は、全券モード、リジェクトモード、アクセプトモードの３つの処理モードの中から１つを選択して実行される。
【００４０】
なお、図３に示す正常券とは、計数したい紙幣をスタッカ６０ｂに集積する通常の紙幣処理時にスタッカ６０ｂに集積される紙幣であり、リジェクト券とは、通常の紙幣処理時にリジェクト部６０ａにリジェクトされる紙幣である。また、障害券とは、識別部５０によって、正しい識別結果を得られない紙幣である。障害券には、例えば、偽券であるにも拘わらず識別部５０によって真券と判定される紙幣や、真券であるにも拘わらず識別部５０によって偽券と判定される紙幣が含まれる。図３では、紙幣の識別処理を完了した後、この紙幣から取得したデータを記憶部８０に保存して維持する場合を○（マル）で示し、記憶部８０に保存せずに破棄する場合を×（バツ）で示している。
【００４１】
まず、通常の紙幣処理について説明する。通常の紙幣処理は、受入部３０に載置された紙幣を識別計数する処理で、従来行われている紙幣処理である。例えば、複数枚の紙幣の枚数を計数して合計金額を算出する紙幣処理では、受入部３０に載置された複数の紙幣が１枚ずつ装置内の搬送路に繰り出されて、搬送部４０によって搬送される。搬送路の途中に設けられている識別部５０は、記憶部８０に保存されている識別用データ８１を利用して、搬送部４０によって搬送される紙幣の金種、真偽、正損等を識別する。これにより、紙幣処理装置１０では、金種別の紙幣枚数及び金額と、全紙幣の枚数及び合計金額とを得ることができる。
【００４２】
制御部７０は、識別部５０による識別結果に応じて、リジェクト部６０ａ及びスタッカ６０ｂから紙幣の搬送先を決定する。金種や真偽を識別できない紙幣、偽の紙幣（偽券）、偽の可能性がある紙幣（サスペクト券）等は、リジェクト券として、リジェクト部６０ａへ搬送される。一方、真の紙幣（真券）は、正常券として、スタッカ６０ｂへ搬送される。計数時に、正損を判定するよう設定されている場合には、予め設定された判定基準に基づいて、傷みや汚れのひどい紙幣（損券）と傷みや汚れの少ない紙幣（正券）とに分けられ、損券はリジェクト券としてリジェクト部６０ａへ集積され、正券は正常券としてスタッカ６０ｂへ集積される。図３に示すように、通常の紙幣処理時に各紙幣を識別するために識別部５０で取得されたデータは、リジェクト券であるか正常券であるかによらず、識別処理の完了後に破棄される。
【００４３】
次に、障害券データ収集処理について説明する。障害券データ収集処理は、紙幣処理装置１０で障害券が発生した場合に実行する処理である。障害券データ収集処理を実行することにより、障害券から、識別用データ８１を更新するために必要なデータを収集することができる。以下では、真券であるにも拘わらず偽券と識別されてしまう場合、又は偽券であるにも拘わらず真券であると識別されてしまう場合を例に、障害券データ収集処理について具体的に説明する。
【００４４】
紙幣処理装置１０の操作表示部２０を操作して、図３に示す全券モード、リジェクトモード及びアクセプトモードの３つの処理モードの中から処理モードを指定して障害券データ収集処理を実行するが、各処理モードの違いについては後述する。
【００４５】
通常の紙幣処理時と同様に、障害券を受入部３０に載置して、障害券データ収集処理を実行する。具体的には、受入部３０に複数の障害券を載置して処理を開始すると、受入部３０の障害券は１枚ずつ装置内の搬送路に繰り出されて搬送部４０によって搬送される。識別部５０は、ラインセンサ、厚みセンサ、磁気センサ等の全てのセンサを利用して、搬送部４０によって搬送される障害券の表面全面及び裏面全面で、データを取得する。通常の紙幣処理では、処理対象とする紙幣の金種に応じて、この紙幣を識別するために必要なセンサのみでデータを取得する場合や、紙幣上の一部の領域のみからデータを取得する場合があるが、障害券データ収集処理では、全てのセンサを利用して、障害券の全面から、取得可能な全てのデータを取得する。
【００４６】
識別部５０では、障害券から取得したデータを利用して、通常の紙幣処理時と同様に、記憶部８０に保存されている識別用データ８１に基づいて障害券の金種、真偽、正損等を識別する識別処理が行われる。
【００４７】
識別部５０による識別結果が得られると、制御部７０は、通常の紙幣処理時と同様に、識別結果に応じて、リジェクト部６０ａ及びスタッカ６０ｂから各障害券の搬送先を決定する。すなわち、制御部７０は、障害券がリジェクト券であるか正常券であるかを決定する。通常の紙幣処理時と同様に、金種や真偽を識別できない場合や、偽券又はサスペクト券と識別された場合はリジェクト券としてリジェクト部６０ａに集積され、真券と識別された場合は正常券としてスタッカ６０ｂに集積される。
【００４８】
なお、真偽判定を誤る障害券からデータを取得する障害券データ収集処理では、正損判定は行われず、損券であっても真券であれば正常券としてスタッカ６０ｂに集積され、正券であっても偽券であればリジェクト券としてリジェクト部６０ａへ集積される。
【００４９】
こうして、真偽の識別結果に応じて各障害券をリジェクト部６０ａ又はスタッカ６０ｂへ集積しながら、識別部５０の全てのセンサを利用して各障害券から収集したデータを、障害券データ８２として記憶部８０へ保存する。このとき、制御部７０は、処理モードに応じて記憶部８０へ保存するデータを選択する。
【００５０】
具体的には、図３に示すように、全券モードでは、正常券及びリジェクト券の両方のデータを記憶部８０に保存する。また、リジェクトモードでは、リジェクト券のデータのみを記憶部８０に保存して、正常券のデータは破棄する。また、アクセプトモードでは、正常券のデータのみを記憶部８０に保存して、リジェクト券のデータは破棄する。
【００５１】
例えば、紙幣がリジェクト券であるか正常券であるかによらず、全ての紙幣から、データを収集したい場合に、全券モードで障害券データ収集処理を実行する。また、偽券であるにも拘わらず真券と誤判定されてしまう障害券からデータを収集したい場合、すなわち判定を誤って真券としてアクセプトされてしまう障害券のデータを収集したい場合にアクセプトモードで障害券データ収集処理を実行する。また、真券であるにも拘わらず偽券と誤判定されてしまう障害券からデータを収集したい場合、すなわち判定を誤って偽券としてリジェクトされてしまう障害券のデータを収集したい場合にリジェクトモードで障害券データ収集処理を実行する。
【００５２】
記憶部８０に保存される障害券データ８２は暗号化され、利用者はデータの内容を確認できないようになっている。また、障害券データ８２に係るセキュリティを確保するため、利用者は、記憶部８０に保存された障害券データ８２を移動したりコピーしたりすることはできず、操作表示部２０を操作して認証された製造者のみが、データの移動及びコピーを行えるようになっている。製造者は、紙幣処理装置１０から障害券データ８２を回収して詳細を調査し、障害券を含む全ての紙幣で正しい識別結果を得られるように更新用の識別用データ８１を作成する。そして、製造者が準備した更新用データによって記憶部８０の識別用データ８１を更新することにより、紙幣処理装置１０では、全ての紙幣を正しく識別できるようになる。なお、製造者に対して、データの移動及びコピーを許可する態様の他、データの移動又はデータのコピーのいずれか一方のみを許可する態様であっても構わない。
【００５３】
例えば、市場で新たに見つかった偽券が、紙幣処理装置１０で真券と誤判定されてしまう場合に、利用者は、この偽券を障害券として、全券モード又はアクセプトモードで障害券データ収集処理を実行する。これにより、正常券と誤判定される障害券から各種データを収集して、障害券データ８２として記憶部８０に保存することができる。製造者は、紙幣処理装置１０から障害券データ８２を回収して詳細を調査することにより、この障害券を偽券と識別可能な更新用の識別用データ８１を作成することができる。
【００５４】
また、例えば、明らかに真券であるにも拘わらず紙幣処理装置１０で偽券と誤判定されてしまう場合に、利用者は、この真券を障害券として、全券モード又はリジェクトモードで障害券データ収集処理を実行する。これにより、リジェクト券と誤判定される障害券から各種データを収集して、障害券データ８２として記憶部８０に保存することができる。製造者は、紙幣処理装置１０から障害券データ８２を回収して詳細を調査することにより、この障害券を真券と識別可能な更新用の識別用データ８１を作成することができる。各国の紙幣は、例えば造幣局や印刷局で印刷されるが、紙幣を印刷する印刷機やインクが変更されたために、変更後の紙幣に僅かな変化が生じ、紙幣処理装置１０が偽券と判定してしまう場合がある。このような場合に、利用者が障害券データ収集処理を実行して変更後の紙幣からデータを収集し、製造者がこのデータを回収して更新用の識別用データ８１を作成することにより、紙幣処理装置１０で正しい識別結果を得られるようになる。
【００５５】
紙幣処理装置１０では、障害券データ収集処理でも、通常の紙幣処理と同様に、複数枚の紙幣を受入部３０に載置して各紙幣からデータを収集することができる。これにより、一回の処理で、複数枚の障害券からデータを収集することができる。
【００５６】
なお、障害券データ収集処理の処理対象は障害券に限定されず、障害券以外の紙幣、すなわち正しい識別結果を得られる紙幣（通常券）からもデータが収集される。障害券データ収集処理の処理対象として受入部３０に載置された紙幣の中に通常券が含まれる場合には、障害券データ８２に、通常券のデータが含まれることになる。
【００５７】
例えば、真券であるにも拘わらず偽券と識別されてリジェクト部６０ａにリジェクトされてしまう障害券と、真券と正しく識別されてスタッカ６０ｂに集積される通常券とがあって、目視では、外観上両者を見分けられないような場合がある。このような場合に、全券モードで、障害券及び通常券を一度に処理することにより、偽券と誤判定されてリジェクト部６０ａに集積される障害券と、正しく判定されてスタッカ６０ｂに集積される通常券との両方からデータを収集することができる。これにより、製造者は、障害券と通常券のデータを比較しながら更新用の識別用データ８１を作成することが可能となる。
【００５８】
また、例えば、リジェクトモード又はアクセプトモードで障害券からデータを収集した後、全券モードで、正しい識別結果を得られる複数枚の通常券からデータを収集しておけば、製造者は、リジェクトモード又はアクセプトモードで保存されたデータが障害券のデータであり、全券モードで保存されたデータが通常券のデータであることを認識して、両者を比較しながら更新用の識別用データ８１を作成することができる。
【００５９】
なお、紙幣処理装置１０では、一回の障害券データ収集処理でデータを収集できる紙幣の枚数を制限することもできる。多くの障害券が同時に発見されることは少ないので、例えば、一回の障害券データ収集処理でデータを収集できる紙幣の枚数を１枚に制限するよう設定する。これにより、例えば、障害券データ収集処理を実行した後、通常の紙幣処理を行う際に、障害券データ収集処理から通常の紙幣処理に処理モードを切り替える操作を忘れて受入部３０に複数の紙幣を載置して障害券データ収集処理を開始してしまった場合に、障害券データ収集処理が紙幣を１枚だけ処理して完了するので、多数の紙幣から不要なデータを収集することを防止することができる。
【００６０】
次に、記憶部８０に保存される障害券データ８２及び障害券データ管理情報８３の内容について説明する。図４は、障害券データ８２及び障害券データ管理情報８３の例を示す図である。
【００６１】
まず、障害券データ８２について説明する。図４に示すように、障害券データ８２には、識別部５０の各センサを利用して障害券から取得したデータである「取得データ」の他に、「Ｎｏ．」と、「取得日時」と、「取得モード」と、「装置情報」と、「識別用データ情報」と、「識別結果」とが含まれている。
【００６２】
「Ｎｏ．」は、データを管理するための管理番号で、紙幣処理装置１０で処理された紙幣一枚毎に管理番号が１つずつ付与される。「取得日時」は、識別部５０で紙幣からデータを収集した日時である。「取得モード」は、紙幣からデータを収集した際の障害券データ収集処理の処理モードである。「装置情報」は、紙幣処理装置１０の型式及び製造番号から成る情報で、データを収集した装置を特定可能な情報である。「識別用データ情報」は、記憶部８０に保存されている識別用データ８１のバージョンを示す情報で、識別部５０が、紙幣の識別に利用した識別用データ８１を特定可能な情報である。「識別結果」は、識別部５０による紙幣の識別結果を示す情報である。
【００６３】
「取得データ」は、障害券データ収集処理の実行時に、識別部５０で収集されたデータである。図４ではデータの種類を示しているが、実際には画像データや計測値データが保存される。取得データには、厚みセンサによって計測した紙幣全面の厚みデータと、磁気センサで計測した紙幣全面の磁気データとが含まれる。また、取得データには、ラインセンサを利用して取得した、紙幣表面全面の反射画像、紙幣裏面全面の反射画像、紙幣全面の透過画像が含まれる。画像については、可視光、紫外光、赤外光等、光源から照射する光の波長を変更することにより各光源に対応する画像を取得することができる。
【００６４】
なお、取得データについては、初期設定として、識別部５０の全てのセンサで、取得可能な全てのデータを収集するように設定されているが、設定を変更することにより、取得するデータの種類や、データの取得方法を限定することも可能となっている。例えば、取得するデータの種類やデータの取得方法を、通貨別に設定したり、金種別に設定したりすることができる。
【００６５】
具体的には、例えば、ある通貨の紙幣、ある金種の紙幣等で、表面（片面）の一部の領域に、所定の紫外光特性を示すセキュリティマークが設けられ、その他の領域には紫外光に関する特徴を示す領域が含まれていない場合には、印刷ずれがある場合でもこのセキュリティマークを含むように紙幣上の部分領域を指定して、この部分領域のみから紫外光画像を取得するように設定する。可視光画像や赤外光画像についても、同様に、所定の部分領域を指定して、この部分領域のみから画像を取得するように設定することができる。また、画像の解像度についても、取得する各画像の解像度を指定できるようになっている。例えば、通常の紙幣処理時には解像度及び階調の低い画像を取得するのに対して、障害券データ収集処理時には、取得する画像の解像度及び階調を変更して、高解像かつ高階調の画像を取得するように設定することができる。また、取得する画像毎に、解像度や階調等、画像の取得方法を変更することもできる。
【００６６】
また、例えば、ある通貨の紙幣、ある金種の紙幣等で、紙幣の一部の領域のみから所定の磁気特性が検出される場合には、この領域を含むように部分領域を指定して、この部分領域のみで磁気を計測するように設定することができる。同様に、紙幣の一部の領域のみが、他の領域より厚くなっている通貨については、この部分領域のみで厚みを計測するように設定することができる。厚みデータや磁気データについても、画像の場合と同様に、通常の紙幣処理時に計測するデータと、障害券データ収集処理時に計測するデータとで、データのサンプリング間隔や解像度（ビット数）等を変更するように設定することができる。また、計測領域毎に、サンプリング間隔や解像度等、データの取得方法を変更することもできる。
【００６７】
また、紙幣処理装置１０では、通常の紙幣処理時と、障害券データ収集処理時とで、搬送部４０による紙幣の搬送速度を変更することができる。紙幣処理装置１０で通常の紙幣処理を実行する際には、多数の紙幣を高速で処理することが求められるため、識別部５０では、高速搬送される紙幣からデータを取得して識別処理を行う。これに対して、障害券データ収集処理では、処理速度よりも、障害券から詳細なデータを収集することが求められるため、通常の紙幣処理に比べて紙幣の搬送速度を低速にすることができる。
【００６８】
具体的には、制御部７０は、障害券データ収集処理で、初期設定、通貨別設定又は金種別設定に基づいてデータを収集する際に、取得するデータの種類、解像度、サンプリング間隔等を認識して、全てのデータを高精度に取得できるように、搬送部４０による紙幣の搬送速度を設定する。例えば、制御部７０は、取得する紙幣画像の解像度、紙幣を撮像するラインセンサの応答速度等に基づいて、紙幣の搬送速度を算出する。また、制御部７０は、厚みセンサ及び磁気センサによる計測のサンプリング間隔、各センサの応答速度等に基づいて、紙幣の搬送速度を算出する。そして、搬送部４０による搬送速度を、算出された搬送速度のうち最も遅い速度に設定する。
【００６９】
次に、図４に示す障害券データ管理情報８３について説明する。障害券データ管理情報８３は「操作日時」と、「操作者ＩＤ」とを含んでいる。「操作日時」は、紙幣処理装置１０と接続した外部装置や、紙幣処理装置１０が備えるカードスロットに装着したメモリカードに、障害券データ８２を移動又はコピーした日時を示している。また、「操作者ＩＤ」は、移動又はコピーが行われた際の認証処理で取得した操作者のＩＤ情報を示している。
【００７０】
紙幣処理装置１０では、障害券データ８２の移動やコピーを行う前に認証処理の実行が要求され、認証された製造者のみがデータの移動又はコピーを実行することができる。制御部７０は、認証処理時に入力された操作者情報を、障害券データ管理情報８３の操作者ＩＤとして記録する。
【００７１】
図４に示す例は、Ｎｏ．００２１の障害券データ８２については記憶部８０に取得データが保存されているが、Ｎｏ．００１９及び００２０の障害券データ８２については、操作日時で示す日時に「Ｃ００１」の操作者ＩＤを有する操作者によって取得データが移動されて、既に記憶部８０には取得データがないことを示している。このように、紙幣処理装置１０の障害券データ８２を移動又はコピーする操作が行われた際に、操作履歴として、操作日時及び操作者ＩＤを記録することにより、障害券データ８２に係るセキュリティを確保することができる。
【００７２】
なお、図４に示すＮｏ．００１９及び００２０の例では、障害券データ８２を移動する操作が行われた後も、取得日時や取得モード等、障害券データ８２に含まれる一部の情報を残す態様を示しているが、移動時には、障害券データ８２全てを消去して、障害券データ管理情報８３のみを残す態様であっても構わない。また、障害券データ８２の移動又はコピーを行った後、所定の日数を経過すると、記憶部８０から全てのデータが自動的に消去される態様であってもよいし、所定の手動操作が行われるまでは消去せずに記憶部８０でデータ保存を継続する態様であっても構わない。また、制御部７０が、認証された製造者であっても障害券データ８２をコピーする操作を許可せず、移動のみを許可する態様であってもよい。
【００７３】
また、障害券データ８２を収集する紙幣の選択を、全券モード、リジェクトモード及びアクセプトモードの中から処理モードを選択することによって行う態様を示したが、データの収集対象とする紙幣の選択方法がこれに限定されるものではない。例えば、受入部３０から装置内に繰り出して識別部５０で識別した最初の紙幣がリジェクト券であれば、リジェクト券から収集した障害券データ８２のみを記憶部８０に保存して他の紙幣のデータは破棄し、最初の紙幣が正常券であれば正常券から収集した障害券データ８２のみを記憶部８０に保存して他の紙幣のデータは破棄するように設定することもできる。また、例えば、受入部３０の全ての紙幣を識別部５０で処理し終えた後、操作表示部２０の画面上に全紙幣の識別結果等の情報を表示して、操作表示部２０で選択した紙幣の障害券データ８２のみを記憶部８０に保存して、選択されなかった紙幣の障害券データ８２は破棄する態様であっても構わない。
【００７４】
このように、本実施例に係る紙幣処理装置１０では、通常の紙幣処理を実行する他、障害券データ収集処理を実行して、障害券に関する詳細なデータを取得することができる。通常の紙幣処理で識別部５０によって得られたデータは識別処理の完了後に破棄されるが、障害券データ収集処理で識別部５０によって障害券から取得したデータは、障害券データ８２として記憶部８０に保管することができる。障害券データ８２は、製造者によって回収されるまで記憶部８０内で保管される。
【００７５】
障害券データ収集処理は、紙幣処理装置１０の利用者自らが実行可能であるため、利用者は、紙幣処理装置１０の製造者が来るまで障害券を保管しておく必要がない。また、利用者が紙幣処理装置１０を操作して障害券から取得した障害券データ８２は、暗号化された状態で記憶部８０に保存される。認証処理で認証された操作者でなければ障害券データ８２の移動やコピーを行うことはできず、移動やコピーの操作が行われた場合には操作者ＩＤ等を含む操作履歴が記憶部８０に記録される。これにより、障害券データ８２に係るセキュリティを確保することができる。
【００７６】
また、紙幣処理装置１０の製造者は、紙幣処理装置１０から障害券データ８２を回収して詳細を調査することにより、障害券の現物がなくても、障害券とされた紙幣を紙幣処理装置１０で正しく識別できるように更新用の識別用データ８１を作成することができる。利用者は、紙幣処理装置１０の記憶部８０に保存されている識別用データ８１を、製造者が作成した更新用の識別用データ８１で更新することにより、障害券とされた紙幣を含む全ての紙幣で正しい識別結果を得られるようになる。
【００７７】
［実施例２］
次に、紙幣、商品券及び硬貨を処理可能な入金処理装置で障害券からデータを収集する例について説明する。図５は、実施例２に係る入金処理装置（紙葉類処理装置）１００の機能構成概略を示すブロック図である。また、図６は、右側面から見た入金処理装置１００の内部構成概略を示す断面模式図である。
【００７８】
図５に示すように、入金処理装置１００は、紙葉類処理部１０１、硬貨処理部２０１、操作表示部１２０、プリンタ１８０、及び記憶部３００と、これら各部を制御する制御部１１０とを有する。紙葉類処理部１０１は紙幣及び商品券を処理する処理部で、紙葉類受入部１３０、紙葉類搬送部１４０、紙葉類識別部１５０、紙葉類集積部１６０及び紙葉類一時保留部１７０を有している。また、硬貨処理部２０１は硬貨を処理する処理部で、硬貨受入部２３０、硬貨搬送部２４０、硬貨識別部２５０、硬貨集積部２６０及び硬貨一時保留部２７０を有している。
【００７９】
操作表示部１２０及び記憶部３００は、実施例１の紙幣処理装置１０の操作表示部２０及び記憶部８０と同様の機能を有するが、記憶部３００には、記憶部８０に保存されるデータに対応する紙幣データ３１０の他に、商品券データ３２０が保存される。紙幣データ３１０には、図１の識別用データ８１、障害券データ８２及び障害券データ管理情報８３のそれぞれに対応する、紙幣識別用データ３１１、障害紙幣データ３１２及び障害紙幣データ管理情報３１３が含まれている。また、商品券データ３２０にも、同様に、商品券の種類や真偽等を識別するための商品券識別用データ３２１と、障害券とされた商品券から収集したデータを含む障害商品券データ３２２と、障害商品券データ３２２の移動やコピーに関する監視データを含む障害商品券データ管理情報３２３が含まれている。
【００８０】
紙葉類集積部１６０には、図６に示す紙葉類リジェクト部１６０ａ、商品券スタッカ１６０ｂ、商品券集積部１６０ｃ及び紙幣集積部１６０ｄが含まれる。また、紙葉類一時保留部１７０には、商品券一時保留部１７０ａ及び紙幣一時保留部１７０ｂが含まれる。硬貨集積部２６０には、硬貨リジェクト部２６０ａ、硬貨返却箱２６０ｂ、２６０ｃ、硬貨集積部２６０ｄ、２６０ｅが含まれ、硬貨一時保留部２７０には、２つの硬貨一時保留部２７０ａ、２７０ｂが含まれる。
【００８１】
紙葉類リジェクト部１６０ａ及び商品券スタッカ１６０ｂは、装置前面側（図６左側）に開口を有し、内部に集積された紙葉類を取り出せるようになっている。また、商品券一時保留部１７０ａ及び紙幣一時保留部１７０ｂは装置前面側へ引き出せるように構成されている。また、商品券集積部１６０ｃ及び紙幣集積部１６０ｄについても、装置前面側へ引き出せるよう構成されている。図６では装置構成を模式的に平面図で示しているが、硬貨処理部２０１は、紙葉類処理部１０１の側方に配置されており、利用者は、装置前面側から硬貨受入部２３０への硬貨の投入、硬貨リジェクト部２６０ａにリジェクトされた硬貨の取り出しを行えるようになっている。また、硬貨返却箱２６０ｂ、２６０ｃ、及び硬貨集積部２６０ｄ、２６０ｅは、それぞれ装置前面側へ引き出せるよう構成されている。
【００８２】
まず、紙幣及び商品券の入金処理について説明する。紙葉類受入部１３０に投入された紙葉類（紙幣又は商品券）は、紙葉類受入部１３０から１枚ずつ繰り出されて紙葉類搬送部１４０によって紙葉類識別部１５０に搬送される。紙葉類識別部１５０は、搬送されてきた紙葉類が紙幣であれば紙幣識別用データ３１１を利用して金種等を識別し、商品券であれば商品券識別用データ３２１を利用して商品券の種類等を識別する。紙葉類識別部１５０による識別結果に基づいて、紙葉類が、識別できない紙葉類、偽の紙葉類、偽の疑いがあるサスペクト紙葉類等である場合は、リジェクト紙葉類として、紙葉類リジェクト部１６０ａに集積される。一方、正常紙幣は紙幣一時保留部１７０ｂに集積され、正常な商品券は商品券スタッカ１６０ｂ又は商品券一時保留部１７０ａに集積される。
【００８３】
なお、紙葉類識別部１５０の搬送方向下流側にはプリンタ１８０が設けられており、紙葉類識別部１５０によって正常な商品券であると識別された商品券には、プリンタ１８０によって、使用済みであることを示す無効化情報が印字される。
【００８４】
正常な商品券が、商品券スタッカ１６０ｂ又は商品券一時保留部１７０ａのいずれに搬送されるかは、予め設定されている商品券の種類に応じて決定される。具体的には、入金処理装置１００からすぐに取り出して処理する商品券は、開口から商品券を取り出し可能な商品券スタッカ１６０ｂに集積され、入金処理装置１００内に保管する商品券は商品券集積部１６０ｃに集積するため商品券一時保留部１７０ａに集積される。例えば、入金処理装置１００が設置されている店舗が発行した商品券が商品券スタッカ１６０ｂに集積され、他の店舗が発行した商品券等が商品券一時保留部１７０ａに集積される。
【００８５】
操作表示部１２０で紙幣による入金を確定する操作が行われると、紙幣一時保留部１７０ｂに一時保留された紙幣は紙幣集積部１６０ｄに収納される。同様に、操作表示部１２０で商品券による入金を確定する操作が行われると、商品券一時保留部１７０ａに一時保留された商品券は商品券集積部１６０ｃに収納される。一方、入金処理がキャンセルされた場合には、商品券一時保留部１７０ａ及び紙幣一時保留部１７０ｂを装置前面側に引き出して、一時保留されている商品券及び紙幣を回収できるようになっている。
【００８６】
次に、硬貨の入金処理について説明する。硬貨受入部２３０に投入された硬貨は、１枚ずつ搬送路に繰り出されて硬貨搬送部２４０によって搬送される。そして、硬貨識別部２５０によって金種等を識別される。各硬貨は、硬貨識別部２５０による識別結果に基づいて、硬貨リジェクト部２６０ａ、又は硬貨一時保留部２７０ａ、２７０ｂに収納される。硬貨リジェクト部２６０ａの硬貨は、硬貨リジェクト部２６０ａを装置前面側に引き出して回収される。なお、２つの硬貨一時保留部２７０ａ、２７０ｂのそれぞれに収納する硬貨金種等、硬貨の種類については、予め設定できるようになっている。
【００８７】
操作表示部１２０で硬貨による入金を確定する操作が行われると、硬貨一時保留部２７０ａ、２７０ｂに一時保留されている硬貨は、それぞれ硬貨集積部２６０ｄ、２６０ｅに収納される。一方、入金処理がキャンセルされた場合には、硬貨一時保留部２７０ａ、２７０ｂに一時保留されている硬貨はそれぞれ硬貨返却箱２６０ｂ、２６０ｃに収納される。そして、硬貨返却箱２６０ｂ、２６０ｃを装置前面側に引き出して硬貨を回収できるようになっている。
【００８８】
入金処理装置１００の紙葉類処理部１０１でも、紙幣処理装置１０と同様に、通常の入金処理を実行する他、障害券に関するデータを取得する障害券データ収集処理を実行できるようになっている。入金処理装置１００では、紙葉類として、紙幣及び商品券を処理することができるが、紙幣を対象として行う障害券データ収集処理は、紙幣処理装置１０の場合と同様に行われる。
【００８９】
具体的には、通常の紙幣入金処理時には、入金する紙幣を紙葉類受入部１３０に投入して処理を開始すると、紙葉類識別部１５０が、記憶部３００に予め準備されている紙幣識別用データ３１１を利用して各紙幣を識別計数する。そして、紙幣の合計金額に基づいて入金処理が行われることになる。一方、全券モード、リジェクトモード、アクセプトモードのいずれかの処理モードを選択して障害券データ収集処理を実行する際には、障害券である紙幣を紙葉類受入部１３０に投入して処理を開始すると、紙葉類識別部１５０が、各障害券から様々なデータを収集する。障害券から取得されたデータは、障害紙幣データ３１２として記憶部３００に保存される。また、障害紙幣データ３１２を移動又はコピーする操作が監視され、操作履歴が障害紙幣データ管理情報３１３として記録される。
【００９０】
紙幣について、障害券データ収集処理で行われる各処理、取得するデータの種類や取得方法の設定、搬送速度の制御等は、図１〜図４を参照しながら説明した紙幣処理装置１０の場合と同様である。ただし、入金処理装置１００では、通常の紙幣入金処理時と、障害券データ収集処理時とで、正常紙幣の集積先が変更されるようになっている。具体的には、通常の紙幣入金処理時には、リジェクト紙幣が紙葉類リジェクト部１６０ａに集積されて、正常紙幣が紙幣一時保留部１７０ｂを経て紙幣集積部１６０ｄに集積されるが、障害券データ収集処理の実行時には、リジェクト紙幣は通常の紙幣入金処理時と同じく紙葉類リジェクト部１６０ａに集積されるが、正常紙幣は商品券スタッカ１６０ｂに集積される。障害券データ収集処理は、入金を目的とするものではないため、紙葉類識別部１５０で正常と判定された紙幣であっても紙幣集積部１６０ｄには収納せずに、商品券スタッカ１６０ｂから装置外に排出するものである。
【００９１】
通常の入金処理は、入金対象が商品券である場合も、紙幣の場合と同様に行われる。具体的には、入金する商品券を紙葉類受入部１３０に投入して処理を開始すると、紙葉類識別部１５０が、記憶部３００に予め準備されている商品券識別用データ３２１を利用して各商品券の種類を識別する。そして、商品券から読み取った金額又は商品券について手入力された金額に基づいて入金処理が行われることになる。一方、既に商品券識別用データ３２１に識別用のデータが登録されている商品券であるにも拘わらず、紙葉類識別部１５０で種類を識別できないとされた場合、又は誤った識別結果が得られた場合に、この商品券を障害券として、障害券データ収集処理を行うことができる。商品券を対象とする場合も、紙幣の場合と同様に、全券モード、リジェクトモード、アクセプトモードのいずれかの処理モードを選択して障害券データ収集処理を実行する。
【００９２】
商品券を処理対象として障害券データ収集処理を行う場合には、障害券から各種データを収集した後、収集したデータを利用して既存の商品券識別用データ３２１を更新すれば、障害券とされた商品券について正しい識別結果を得られるようになるか否かを判定する処理が行われる。
【００９３】
そして、障害券から取得したデータを利用して既存の商品券識別用データ３２１を更新することにより、障害券とされた商品券を含め、全ての商品券について正しい識別結果を得られるようになる場合は、商品券識別用データ３２１の更新が行われる。このとき、障害商品券データ管理情報３２３に、商品券識別用データ３２１を更新したことを示す情報と、更新内容とを示す情報とを記録して、障害券から収集したデータは破棄される。
【００９４】
一方、障害券から収集したデータを利用して既存の商品券識別用データ３２１を更新しても、障害券とされた商品券について正しい識別結果を得ることができない場合、又は商品券識別用データ３２１を更新すると他の商品券で正しい識別結果を得られなくなる場合には、商品券識別用データ３２１の更新は行われず、紙幣の場合と同様に、障害券から収集したデータが障害商品券データ３２２として記憶部３００に保存される。記憶部３００では、紙幣の場合と同様に、障害商品券データ３２２の移動やコピーを行う操作が監視され、操作履歴が障害商品券データ管理情報３２３として記録される。
【００９５】
商品券を対象とする障害券データ収集処理の具体例を説明する。障害券データ収集処理では、複数枚の障害券を対象として、各障害券を順に処理することができるが、各障害券で行われる処理は同じであるため、以下では、１枚の障害券を対象として処理の流れを説明する。なお、商品券の障害券には、例えば、実際には種類Ｘの商品券であるのに種類Ｘの商品券ではないと誤判定されてリジェクトされてしまう商品券、実際には種類Ｘの商品券ではないのに種類Ｘの商品券であると誤判定されてリジェクトされずにアクセプトされてしまう商品券等が含まれるが、以下では、種類Ｘの商品券であるのに種類Ｘの商品券であると識別できず、種類Ｘの商品券ではないと誤判定されてしまう商品券を例に説明する。
【００９６】
図７は、商品券を処理対象とする障害券データ収集処理の流れを示すフローチャートである。障害券データ収集処理を開始した後、まず、操作表示部１２０を操作して、障害券とされた商品券の種類を指定する（ステップＳ１０）。そして、入金処理装置１００の紙葉類受入部１３０に、障害券である商品券を投入して処理モードを選択する。具体的には、障害券が、種類Ｘであるとの正しい識別結果を得られない、種類Ｘの商品券である場合には、操作表示部１２０上で種類Ｘの商品券を指定して障害券を紙葉類受入部１３０に投入し、全券モード又はリジェクトモードで障害券データ収集処理を開始する。
【００９７】
紙葉類受入部１３０に投入された障害券は、紙葉類搬送部１４０によって搬送される。紙葉類識別部１５０は、紙葉類搬送部１４０によって搬送される障害券から、各種データを収集する（ステップＳ１１）。なお、紙葉類識別部１５０では、設定内容に応じて、実施例１の識別部５０と同様に、商品券の全面又は一部領域から、商品券画像の他、商品券のサイズ、厚み、磁気特性、紫外光特性、赤外光特性等を計測したデータを収集することができる。
【００９８】
入金処理装置１００の制御部１１０は、紙葉類識別部１５０で収集したデータの中に障害券の短手の長さ、長手の長さ、厚み等の寸法データが含まれているか否かを確認する（ステップＳ１２）。そして、寸法データが含まれている場合には（ステップＳ１２；Ｙｅｓ）、制御部１１０は、商品券識別用データ３２１に含まれる種類Ｘの商品券の寸法データを、取得した寸法データに基づいて変更して商品券識別用データ３２１を更新することにより、障害券を含む全ての商品券を識別可能であるか否かを検証する（ステップＳ１３）。なお、商品券識別用データ３２１の更新に利用する寸法データは、長手長さ、短手長さ、厚みのいずれか１つであってもよいし、これらの中から選択した２つであってもよいし、３つの寸法データ全てを利用しても構わない。
【００９９】
具体的には、障害券から取得した寸法データを、商品券識別用データ３２１に含まれる種類Ｘの寸法データと比較したときに、種類Ｘの商品券であるとの識別結果を得られるように、商品券識別用データ３２１に含まれる寸法データを変更する。そして、この変更により、種類Ｘの商品券ではないのに、種類Ｘと識別されてしまう商品券が発生しないことを確認する。すなわち、商品券識別用データ３２１の更新が、種類Ｘ以外の商品券の識別結果に影響しないことを確認する。
【０１００】
障害券から取得した寸法データに基づいて商品券識別用データ３２１を更新することにより、種類Ｘの商品券を含む全ての商品券を正しく識別できるようになる場合は（ステップＳ１３；Ｙｅｓ）、制御部１１０は、取得した寸法データを利用して、商品券識別用データ３２１を更新して（ステップＳ１４）、処理を終了する。具体的には、次回の処理からは、更新した商品券識別用データ３２１によって識別処理が行われるように、更新した商品券識別用データ３２１を記憶部３００に保存して処理を終了する。
【０１０１】
例えば、商品券のサイズや厚みが変更されて正しい識別結果を得られなくなり障害券とされた場合に、商品券識別用データ３２１で、この商品券のサイズや厚みの判定基準を変更するだけで、この商品券を含む全ての商品券を識別可能となるのであれば、商品券識別用データ３２１を更新するものである。
【０１０２】
一方、障害券から取得したデータの中に寸法データが含まれていない場合（ステップＳ１２；Ｎｏ）、又は取得した寸法データに基づいて商品券識別用データ３２１を更新しても全ての商品券を正しく識別できるようにならない場合には（ステップＳ１３；Ｎｏ）、制御部１１０は、障害券から取得したデータの中に文字データが含まれるか否かを確認する（ステップＳ１５）。
【０１０３】
具体的には、例えば、障害券が大きすぎて紙葉類識別部１５０で商品券全体を撮像できず、商品券全体のサイズを特定できない場合や（ステップＳ１２；Ｎｏ）、障害券から取得した長さや厚みのサイズに基づいて商品券識別用データ３２１を更新すると、他の種類の商品券が誤判定されるようになる場合等、障害券を含む全ての商品券を正しく識別できない場合に（ステップＳ１３；Ｎｏ）、障害券を撮像した画像で文字認識処理を行って、障害券に印刷されている文字列の有無を確認する（ステップＳ１５）。
【０１０４】
そして、障害券に印刷されている文字列の位置及び大きさを取得できた場合には（ステップＳ１５；Ｙｅｓ）、制御部１１０は、これを文字データとして、文字列の位置及び文字列の大きさに基づいて商品券識別用データ３２１を更新することにより、障害券を含む全ての商品券を正しく識別可能であるか否かを確認する（ステップＳ１６）。なお、文字列の大きさとして、商品券に印刷されている文字列が内接する矩形の面積を利用する。
【０１０５】
具体的には、障害券から取得した文字列の位置及び大きさを、商品券識別用データ３２１に含まれる種類Ｘの商品券の文字データと比較したときに、種類Ｘの商品券であるとの識別結果を得られるように、商品券識別用データ３２１を更新する。そして、この更新により、種類Ｘの商品券ではないのに、種類Ｘと識別されてしまう商品券が発生しないことを確認する。すなわち、商品券識別用データ３２１の更新が、種類Ｘ以外の商品券の識別結果に影響しないことを確認する。
【０１０６】
障害券から取得した文字データに基づいて商品券識別用データ３２１を更新することにより、種類Ｘの商品券を含む全ての商品券を正しく識別できるようになる場合は（ステップＳ１６；Ｙｅｓ）、制御部１１０は、取得した文字データを利用して、商品券識別用データ３２１を更新して（ステップＳ１７）、処理を終了する。具体的には、次回の処理からは、更新した商品券識別用データ３２１によって識別処理が行われるように、更新した商品券識別用データ３２１を記憶部３００に保存して処理を終了する。
【０１０７】
例えば、商品券に印刷されている文字列の大きさや位置が変更されて正しい識別結果を得られなくなり障害券とされた場合に、商品券識別用データ３２１で、この商品券に印刷されている文字列の大きさや位置の判定基準を変更するだけで、この商品券を含む全ての商品券を識別可能となるのであれば、商品券識別用データ３２１を更新するものである。
【０１０８】
障害券から取得したデータの中に文字データが含まれていない場合（ステップＳ１５；Ｎｏ）、又は取得した文字データで商品券識別用データ３２１を更新すると、障害券を含む全ての商品券を正しく識別できない場合には（ステップＳ１６；Ｎｏ）、制御部１１０は、記憶部３００の商品券識別用データ３２１の更新は行わず、障害券から収集した全てのデータを、障害商品券データ３２２として記憶部３００に保存して（ステップＳ１８）、処理を終了する。
【０１０９】
この場合、障害券が紙幣である場合と同様に、制御部１１０は、製造者によって回収されるまでの間、障害商品券データ３２２を記憶部３００に保存して管理する。また、制御部１１０は、障害商品券データ３２２を移動又はコピーする操作を監視して、操作履歴を障害商品券データ管理情報３２３に記録する。製造者は、入金処理装置１００から回収した障害商品券データ３２２の詳細を調査して、更新用の商品券識別用データ３２１を作成することになる。
【０１１０】
図４に示す紙幣の場合と同様に、記憶部３００に保存される障害商品券データ３２２には、取得日時、取得モード、装置情報、識別用データ情報、識別結果、及び取得データが含まれる。また、障害商品券データ３２２を移動又はコピーする操作が行われた場合には、障害商品券データ管理情報３２３に、操作日時及び操作者ＩＤが記録される。
【０１１１】
障害券が、実際には種類Ｘの商品券ではないのに種類Ｘの商品券であると誤判定されてしまう商品券である場合も同様に処理される。例えば、障害券が、商品券識別用データ３２１にデータが登録されていない新しい商品券であるのに、種類Ｘの商品券であると誤判定される場合には、ステップＳ１３では、商品券識別用データ３２１に、この新たな商品券の種類、及び寸法データに係る識別用のデータを追加することにより全ての商品券を正しく識別できるか否かを判定する。また、ステップＳ１６では、商品券識別用データ３２１に、この新たな商品券の種類、及び商品券に印刷されている文字列の位置及び大きさに係る文字データを追加することにより全ての商品券を正しく識別できるか否かを判定するが、その他の処理は上述したように行われる。なお、新しい商品券については、他の種類の商品券であると誤判定される障害券だけではなく、識別できないとしてリジェクトされた場合も、同様に、障害券データ収集処理で処理することにより、商品券識別用データ３２１の更新又は障害商品券データ３２２の保存を行うことができる。
【０１１２】
また、障害券が、商品券識別用データ３２１に識別用のデータが登録されている種類Ｙの商品券であるのに、種類Ｘの商品券であると誤判定されてしまう商品券である場合には、ステップＳ１３では、障害券が種類Ｙの商品券であると正しく識別されるように、商品券識別用データ３２１に含まれる種類Ｘの寸法データ及び種類Ｙの寸法データのいずれか一方又は両方を変更して、全ての商品券を正しく識別できるか否かを判定する。また、ステップＳ１６では、障害券が種類Ｙの商品券であると正しく識別されるように、商品券識別用データ３２１に含まれる種類Ｘの文字データ及び種類Ｙの文字データのいずれか一方又は両方を変更して、全ての商品券を正しく識別できるか否かを判定するが、その他の処理は上述したように行われる。
【０１１３】
なお、図７では、商品券の寸法データと、商品券に印刷されている文字列の位置及び大きさを含む文字データとのいずれかによって、商品券識別用データ３２１を更新する態様を示したが、両方のデータに基づいて商品券識別用データ３２１を更新する態様であっても構わない。また、寸法データに基づく商品券識別用データ３２１の更新を試みた後、文字データに基づく商品券識別用データ３２１の更新を試みる態様を示したが、これらの順序が逆であっても構わない。また、文字データを文字列のデータとして説明したが、文字列に限定されるものではなく一文字であっても構わない。
【０１１４】
また、商品券識別用データ３２１の更新に利用するデータが寸法データ及び文字データに限定されるものではなく、更新に利用するデータの種類を、制御部１１０が決定するようにしてもよい。
【０１１５】
具体的には、ステップＳ１０で障害券の種類を指定した後、制御部１１０が、この障害券の識別処理時に、商品券識別用データ３２１に含まれる判定基準を外れるデータの内容を特定する。そして、制御部１１０は、特定したデータに係る判定基準を変更する商品券識別用データ３２１の更新を行って、障害券を含む全ての商品券を正しく識別できるか否かを検証する。
【０１１６】
具体的には、例えば、商品券に印刷されているマークの位置、大きさ、色等に関する判定基準が商品券識別用データ３２１に含まれており、障害券では、このマークの位置や大きさに問題はなく、色が判定基準と異なるために正しい識別結果を得られない場合に、制御部１１０が識別結果からこれを認識する。そして、制御部１１０は、誤判定の原因となったマークの判定基準を障害券のマークの色を含むように変更して、これにより障害券を含む全ての商品券を正しく識別できるようになるか否かを検証する。そして、全ての商品券を正しく識別できるようになることが確認できた場合には、制御部１１０は、商品券識別用データ３２１を更新する。
【０１１７】
このように、本実施例に係る入金処理装置１００によれば、障害券が紙幣である場合には、実施例１の紙幣処理装置１０と同様に障害券データ収集処理を実行する。また、障害券が商品券である場合には、紙幣の場合と同様に障害商品券データ３２２を保存する他、障害券から取得したデータに基づいて商品券識別用データ３２１を更新することにより、障害券を含む全ての商品券を正しく識別可能となる場合には、入金処理装置１００の製造者による調査や識別用のデータ更新を待たずに、入金処理装置１００内で商品券識別用データ３２１を更新することができる。
【産業上の利用可能性】
【０１１８】
以上のように、本発明に係る紙葉類処理装置及び紙葉類処理方法は、市場で流通する紙葉類から、識別用データを更新するためのデータを容易に収集するために有用である。
【符号の説明】
【０１１９】
１０  紙幣処理装置
２０、１２０  操作表示部
３０  受入部
４０  搬送部
５０  識別部
６０、６０ａ、６０ｂ  集積部
７０、１１０  制御部
８０、３００  記憶部
１００  入金処理装置
１０１  紙葉類処理部
１３０  紙葉類受入部
１４０  紙葉類搬送部
１５０  紙葉類識別部
１６０、１６０ａ〜１６０ｄ  紙葉類集積部
１７０、１７０ａ、１７０ｂ  紙葉類一時保留部
１８０  プリンタ
２０１  硬貨処理部
２３０  硬貨受入部
２４０  硬貨搬送部
２５０  硬貨識別部
２６０、２６０ａ〜２６０ｅ  硬貨集積部
２７０  ２７０ａ、２７０ｂ  硬貨一時保留部
【図１】
2017058962.tif 000003
【図２】
2017058962.tif 000004
【図３】
2017058962.tif 000005
【図４】
2017058962.tif 000006
【図５】
2017058962.tif 000007
【図６】
2017058962.tif 000008
【図７】
2017058962.tif 000009